(57)【特許請求の範囲】
【請求項１】
底壁(3)中央部に弁孔(4)を穿設したカップ本体(2)と、該カップ本体の底壁上へ載置固定させた弁体付き台(11)とからなり、
この弁体付き台(11)は、上記底壁(3)に固定したリング状板(14)と、リング状板の内縁から突出した複数の弾性連結片(13)で支持され、弁孔(４)上面を閉塞する弁体(12)とを有し、弁体(12)の下面外周部と弁孔の周りの底壁上面部分とで吐出弁(15)を形成するとともに、
弁体(12)の下面中央部から、弁孔(4)内へ当該弁孔の孔縁との間に隙間を存して遊挿した棒状物(16)を、弁体の押上げ棒として、カップ本体(2)の外に向けて底壁(3)下方へ垂設し、
棒状物の押上げにより吐出弁(15)を開弁可能に形成した計量カップ。
【請求項２】
上記棒状物(16)を注入パイプ(26)で形成し、かつ弁体(12)を貫通させてカップ本体(2)の上部内まで起立させた
ことを特徴とする請求項１記載の計量カップ。
【請求項３】
上記弁孔(4)の周縁から、棒状物(16)よりも短く保護筒(9)を垂下させた
ことを特徴とする請求項１又は２記載の計量カップ。
【請求項４】
上記保護筒(9)を囲んで底壁(3)下面から擦付材(10)を棒状物(16)下端面とほぼ同一位置まで垂下させた
ことを特徴とする、請求項１、２又は３記載の計量カップ。
【請求項５】
上記計量カップ(1)の底壁外周から起立する周壁(5)の上端開口面を、口部(18)付きの頂板(19)で閉塞すると共に、その口部(18)を蓋板(21)で開閉自在に閉塞させた
ことを特徴とする請求項１、２、３又は４記載の計量カップ。
【請求項６】
容器(31)内へ垂設されたシリンダ(35)の上部へガイド筒(38)を嵌着すると共に、上記シリンダ内から上方付勢されかつガイド筒内を通って、起立するステム(32)の上部外面から受皿(33)を起立させて、該受皿の上下動で容器体内液体をシリンダ内へ吸込み、該シリンダ内液体をステム(32)上端から噴出可能としたポンプ式の液体容器を設け、上記受皿(33)内へ、請求項１ないし請求項５のいずれかに記載の計量カップの下部を着脱自在に嵌合させて、ステム(32)の上端面を弁孔(4)外周の底壁部分下面へ水密に当接させた
ことを特徴とする計量カップ装着容器。
【請求項７】
上記受皿(33)から雄ねじ筒としての嵌合筒(33a)を垂下させて、該雄ねじ筒をガイド筒(38)の内面へ螺合させた
ことを特徴とする請求項６記載の計量カップ装着容器。
【請求項８】
上記受皿(33)周壁上端部の対向位置から係合子(41)を外方突出させてこれ等係合子外端でレバー(42)中間部を揺動可能に吊持ちさせ、
又請求項１ないし請求項５のいずれかに記載の計量カップの周壁(5)下部を、外向きフランジ(6)を介して小外径部に形成すると共に該小外径部の下部外面と外向きフランジ(6)の外周下面とには第１、第２突条(7,8)を周設しておき、
受皿(33)内へ計量カップの下部を嵌合させたとき、第１突条(7)は受皿周壁の上部内面に形成した凹条内へ嵌合し、かつレバー(42)上端面は第２突条(8)内方の外向きフランジ部分下面へ係合し、該状態から両レバー(42)下部を内方へ押込むことで、レバー上端が第２突条(8)を介して計量カップ(1)を押上げて、該押上げで第１突条(7)が凹条上方へ離脱可能に形成した
ことを特徴とする、請求項６又は７記載の計量カップ装着容器。
【請求項９】
弾性圧搾可能な胴部を有する容器口頸部に、受筒(53)から垂下する装着筒(54)を嵌合させて計量カップ装着用容器となし、上記受筒(53)は、周壁(5)下部を内向きフランジ(55)を介して小径部とすると共に底板(56)中央部に吐出パイプ(57)を、該パイプ上部(57a)を上方突出し、かつ下部(57b)を垂下させて形成し、
請求項２ないし請求項５のいずれかに記載の計量カップの底壁(３)外周を上記内向きフランジ(55)上面へ載置させて、周壁(５)下部内へ計量カップ(１)下部を着脱自在に嵌合させ、かつ弁体(12)下方の注入パイプ部分を上記吐出パイプ(57)内へ遊挿させて吐出パイプ上部(57a)上端面を計量カップ底壁(３)の弁孔外周部下面へ水密に当接させた
ことを特徴とする計量カップ装着容器。
【発明の詳細な説明】
【技術分野】
【０００１】
本発明は、計量カップと該計量カップ付きの装着容器に関する。
【背景技術】
【０００２】
吸込み弁および吸上げパイプ付きのシリンダを容器体内へ垂下させて該シリンダ内から上下動自在に、下端部に環状ピストンを有する吸上げ管を起立し、又該吸上げ管上端に吐出弁を介して計量カップを付設しておき、吸上げ管付き計量カップ引上げにより、シリンダ内へ容器体内液体が吸込みされ、次いで押下げすると、シリンダ内液体が吸上げ管を介して計量カップ内へ入り、該状態から計量カップを引上げしてその計量カップ内液体を使用できるよう設けた計量カップ付き容器が知られている（特許文献１）。
【特許文献１】特許第３６６７４９７号公報
【発明の開示】
【発明が解決しようとする課題】
【０００３】
従来の計量カップは、計量だけを行っているが、例えば液状洗剤用の計量カップであれば、衣類に付着したシミ等除去のために、そのシミ部分へ液状洗剤を極く少量塗布することの出来る機能をその計量カップに持たせることが望ましい。
【０００４】
本発明は計量カップ内に収納させた液体を極く少量流出させることができると共に該計量カップを液体容器に取付ければその計量カップ内への定量液体注入が可能としたものである。
【課題を解決するための手段】
【０００５】
第１の手段として、
計量カップは、底壁３中央部に弁孔４を穿設したカップ本体２と、該カップ本体の底壁上へ載置固定させた弁体付き台11とからなり、
この弁体付き台11は、上記底壁３に固定したリング状板14と、リング状板の内縁から突出した複数の弾性連結片13で支持され、弁孔４上面を閉塞する弁体12とを有し、弁体12の下面外周部と弁孔の周りの底壁上面部分とで吐出弁15を形成するとともに、
弁体12の下面中央部から、弁孔４内へ当該弁孔の孔縁との間に隙間を存して遊挿した棒状物16を、弁体の押上げ棒として、カップ本体2の外に向けて底壁３下方へ垂設し、
棒状物の押上げにより吐出弁15を開弁可能に形成している。
【０００６】
第２の手段として、上記第１の手段を有すると共に上記棒状物16を注入パイプ26で形成し、かつ弁体12を貫通させてカップ本体２の上部内まで起立させた。
【０００７】
第３の手段として、上記第１又は第２の手段を有すると共に上記弁孔４の周縁から、棒状物16よりも短く保護筒９を垂下させた。
【０００８】
第４の手段として、上記第１、第２、又は第３の手段を有すると共に上記保護筒９を囲んで底壁３下面から擦付材10を棒状物16下端面とほぼ同一位置まで垂下させた。
【０００９】
第５の手段として、上記第１、第２、第３又は第４の手段を有すると共に上記計量カップ１の底壁外周から起立する周壁５の上端開口面を、口部18付きの頂板19で閉塞すると共に、その口部18を蓋板21で開閉自在に閉塞させた。
【００１０】
第６の手段として、容器31内へ垂設されたシリンダ35の上部へガイド筒38を嵌着すると共に、上記シリンダ内から上方付勢されかつガイド筒内を通って、起立するステム32の上部外面から受皿33を起立させて、該受皿の上下動で容器体内液体をシリンダ内へ吸込み、該シリンダ内液体をステム32上端から噴出可能としたポンプ式の液体容器を設け、上記受皿33内へ、第１の手段ないし第５の手段のいずれかに記載の計量カップの下部を着脱自在に嵌合させて、ステム32の上端面を弁孔４外周の底壁部分下面へ水密に当接させた。
【００１１】
第７の手段として上記第６の手段を有すると共に上記受皿33から雄ねじ筒としての嵌合筒33ａを垂下させて、該雄ねじ筒をガイド筒38の内面へ螺合させた
ことを特徴とする請求項６記載の計量カップ装着容器。
【００１２】
第８の手段として、上記第６又は第７の手段を有すると共に上記受皿33周壁上端部の対向位置から係合子41を外方突出させてこれ等係合子外端でレバー42中間部を揺動可能に吊持ちさせ、
又第１の手段ないし第５の手段のいずれかに記載の計量カップの周壁５下部を、外向きフランジ６を介して小外径部に形成すると共に該小外径部の下部外面と外向きフランジ６の外周下面とには第１、第２突条７、８を周設しておき、
受皿33内へ計量カップの下部を嵌合させたとき、第１突条７は受皿周壁の上部内面に形成した凹条内へ嵌合し、かつレバー42上端面は第２突条８内方の外向きフランジ部分下面へ係合し、該状態から両レバー42下部を内方へ押込むことで、レバー上端が第２突条８を介して計量カップ１を押上げて該押上げで第１突条７か凹条上方へ離脱可能に形成した。
【００１３】
第９の手段として、弾性圧搾可能な胴部を有する容器口頸部に、受筒53から垂下する装着筒54を嵌合させて計量カップ装着用容器となし、上記受筒53は、周壁５下部を内向きフランジ55を介して小径部とすると共に底板56中央部に吐出パイプ57を、該パイプ上部57ａを上方突出し、かつ下部57ｂを垂下させて形成し、
第２の手段ないし第５の手段のいずれかに記載の計量カップの底壁３外周を上記内向きフランジ55上面へ載置させて、周壁５下部内へ計量カップ１下部を着脱自在に嵌合させ、かつ弁体12下方の注入パイプ部分を上記吐出パイプ57内へ遊挿させて吐出パイプ上部57ａ上端面を計量カップ底壁３の弁孔外周部下面へ水密に当接させた。
【発明の効果】
【００１４】
請求項１記載の構成とすることで、弁孔４上面を弾性閉塞する弁体12から垂下させた棒状物16押上げで吐出弁15を開弁できるからその棒状物16を大きく、又少く押上げすることで吐出弁開弁による液体吐出量を多く、又少く加減でき、又少量流出の場合は棒状物を伝わって流下させることができ、しみ等の付着部分にだけ液体を流出させることが出来る。
【００１５】
請求項２のようにすることで、計量カップ内への液体注入を注入パイプ26を介して行うことも出来ると共に請求項１の場合と同様に弁体下方へ垂下する注入パイプ部分押上げで、吐出弁を大きく、又小さく開弁できる。
【００１６】
請求項３のようにすることで、棒状物押上げの際、該棒状物を保護筒９が囲むこととなるため、その棒状物が大きく傾き弾性連結片13を破損することがない。
【００１７】
請求項４のようにすることで、衣服等の汚れ部分を擦付材10で擦って落とすことが出来る。
【００１８】
請求項５のようにすることで、口部18から計量カップ内へ液体注入でき又その口部を蓋板21で開閉自在に閉塞できる。
【００１９】
請求項６のようにすることで、液体容器への計量カップ１の取付けが容易で又その計量カップ内への液体注入が容易であり、計量カップ内に入った液体放出は受皿33から計量カップを外して行える。
【００２０】
請求項７のようにすることで、受皿33およびステム32を押下げ状態に低く保持させることが出来る。
【００２１】
請求項８のようにすることで、受皿33内への計量カップ下部の嵌合を確実とでき、又その受皿内からの計量カップ取外しをレバー42操作で容易に行うことが出来る。
【００２２】
請求項９のようにすることで、計量カップ１内への容器体内液体の注入が容易で又その計量カップ内液体注出の際は、その計量カップ１を取外しでき、又棒状物16押上げにより少量液体注出も又計量カップ上端開口からの大量注出も出来る便利がある。
【発明を実施するための最良の形態】
【００２３】
以下図面について説明すると、１は第１実施形態で示す計量カップで、該計量カップはカップ本体２を有する。該カップ本体は底壁３中央部に弁孔４を有し、底壁外周から周壁５を起立する。周壁５の中間部には外向きフランジ６を設けて上部を大外径部としている。周壁下半の下部外面には第１突条７を、又外向きフランジ外周部の下面には第２突条８を、それぞれ周設している。又弁孔外周からは保護筒９を垂下させている。又保護筒９を囲んで底壁３下面からは、多数のブラシで形成した擦付材10を垂下させている、該擦付材はスポンジ等で形成してもよく、衣服等に付着した汚れを擦ってその汚れを落とすことが可能とするものである。
【００２４】
上記カップ本体の底壁３上へは弁体付き台11を載置固定させる。該台は図２が示すように中央部を弁体12とし、該弁体外周からは同一螺旋方向へ等間隔に弾性連結片13を弧状に突出させてその各先端を台外周が形成するリング状板14内縁へ連結する。各弾性連結片間の弁体12とリング状板14との間は空隙とされており、図が示すように弁体12で弁孔４上面を閉塞して吐出弁15を形成しており、又弁体中心からは弁孔内に通して棒状物16を垂下して、該棒状物下端押上げにより上記弾性連結片13の弾性に抗して弁体12が押上げられ、吐出弁15が開き、又上記押上げを離すことで弾性連結片は弾性復元して吐出弁は閉塞する。
【００２５】
計量カップ周壁の上端面は、短筒状ノズル17で形成した口部18付きの頂板19で閉塞し、又その口部は、頂板外周一部に付設したヒンジ20を介して突出させた蓋板21で開閉自在に閉塞させている。蓋板外周からは周壁を垂下させてその周壁下端部を頂板19外周面へ着脱自在に嵌合し、該嵌合状態で蓋板21から垂設したシール筒22が短筒状ノズル17内面へ水密に嵌合するよう設けている。
【００２６】
図４は第２実施形態で示す計量カップで、第１実施形態と同一部分については同一符号を付することで説明を省略し、相違部分についてだけ説明すると、カップ本体周壁５の中間部外面には下向き段部23を形成し、かつ周壁下半外面には雄ねじ24を設け、又周壁上端からは肉薄ヒンジ25を介して周壁上端面開閉用の蓋板21を突出させており、周壁上端内面へは別に設けた頂板19外周から垂下する周壁を嵌合させ、又その頂板19には短筒状ノズル17を起立させて形成した口部18を設け、上記蓋板21へ閉蓋により蓋板から垂設したシール筒22が短筒状ノズル17内面へ水密に嵌合するよう設けている。
【００２７】
既述棒状物16は、注入パイプ26で形成し、該パイプを弁体12中央に貫設させてその上端をカップ本体周壁の上部内まで起立させている。該パイプは上端面を閉塞し、かつ上部外方へ透孔27を開口させて形成しており、注入パイプ26を通して液体を計量カップ１内へ噴出させることで、噴出液体は透孔27を通ってカップ本体内へ入り、その透孔27よりも上方のカップ本体内へ入った液体は、注入パイプを通しての液体注入の停止によって透孔27および注入パイプ26内を通って排出され、よって図４が示すようにカップ本体内には透孔下端位置を水面とする量の液体が、カップ本体内に残ることとなるよう設けている。
【００２８】
既述第１実施形態の計量カップ１は、図３が示す第１実施形態の容器31へ装着させる。該容器は、公知のポンプ式液体噴出容器の一部を改変して形成したものであり、主たる改変部分はステム上端に嵌合させるノズル付き押下げヘッドを外し、該ヘッドに代えてステム32上部外面から受皿33を起立させたものである。
【００２９】
尚公知部分について簡単に説明すると、34は口頸部で、その口頸部上端面上へパッキングを介して容器体内へ垂設されたシリンダ35上端の外向きフランジが載置させてあり、そのシリンダ内からは下部外面に筒状ピストン36を有するステム32が上方付勢させて起立させてあり、外向きフランジ上面から起立させた嵌着筒37に嵌着させてシリンダ上部内面へガイド筒38が嵌合させてある。又シリンダ上端の外向きフランジ外周部上面へは、容器体口頸部外面へ螺合させた装着筒39上端の内向きフランジ下面が係合させてある。
【００３０】
既述ステム32は上部を上向き段部40を介して小径部としており、又受皿33は底壁中央に透孔を穿設してその透孔内にステムの小径部を貫通させ、又透孔周辺部下面を上向き段部上面へ当接させて底壁下面から垂設した嵌合筒33ａを上向き段部40よりも下方のステム部分外面へ嵌合させており、その嵌合筒は雄ねじ筒としてその外面をガイド筒38内面へ螺合させている。受皿33はその周壁上端部の左右ないし前後対向位置から係合子41、41を外方突出させてこれ等係合子外端をレバー42の上下方向中間やや上部へレバーの揺動が自在に連結しており、受皿周壁の上部内面には凹条を周設しており、該凹条内へは既述第１実施形態計量カップ１の突条７を嵌合させ、又レバー42上端面は上記計量カップ第２突条８内方の内向きフランジ部分下面へ係合させている。
【００３１】
図３の実施形態において計量カップ内へ液体を収入させる場合は、受皿33を回し、ガイド筒38から螺脱させる。該螺脱でステム32は受皿33と共に計量カップ１を上方付勢により押上げ該押上げによりシリンダ下端の吸込み弁43を通ってシリンダ内へ容器体内液体が吸込みされ、該状態からの計量カップ１の押下げでシリンダ内液体はステム32内を通り、更に吐出弁の弁体12を押上げして計量カップ１内へ流入し、受皿33解放によるステム32等の上昇で再度シリンダ内へ予備液体が流入する。該状態からレバー42下部の内方押込みでレバー上端が外方揺動して第２突条８を押上げすることで、第１突条７は凹条から外れるから、該状態から計量カップ１を外し、開蓋して該計量カップ内液体を放出させればよい。計量カップ内液体放出は該計量カップを容器から外さないまま行うことも出来る。尚計量カップ内液体を少量放出させたい場合は計量カップ内に液体がある状態から棒状物16下端を被洗濯物等に押付けすれば、弾性連結片13の弾性に抗して弁体12が押上げられることで吐出弁15が開き、該吐出弁を介して計量カップ内液体を流下させることが出来、擦付材10使用の際はその流下させた液体としての液体洗剤等が付着した被洗濯物部分をその擦付材で擦ればよい。
【００３２】
図５は、計量カップ装着容器を第２実施形態で示している。該実施形態は、弾性圧接可能な胴部51を有する容器体口頸部52外面へ受筒53外面から垂下させた装着筒54を螺合させて受筒53内へ図４が示す第２実施形態の計量カップを着脱自在に装着させた例を示すもので、その受筒53は周壁の中間下方寄り部分に内向きフランジ55を有し、該内向きフランジ下方の周壁部分を小径としてその周壁下端の底板56の中央部に、上部57ａを上方突出させ、かつ下部57ｂを下方へ垂下させて吐出パイプ57を貫設して形成している。内向きフランジ55よりも上方の周壁部分は雌ねじ筒として該雌ねじ筒内へ計量カップの下部を螺合させるとよく、上記内向きフランジ55上へは計量カップの底壁３の外周下面を載置させ、かつ弁体12下方の注入パイプ部分を上記吐出パイプ上部57ａ内へ挿入させて、該吐出パイプ上部57ａ上端を弁孔４下面外周部へ水密に当接させ、擦付材10は内向きフランジ55下方の受筒部分内へ垂下させている。
【００３３】
該実施形態にあっては計量カップ１内への液体流入を、容器体胴部の圧搾により行う。該圧搾による容器体内の高圧化で該容器体内液体は吐出パイプ57内、更に注入パイプ26内を通って計量カップ１内へ入り、該カップ内へ入った余分の液体は透孔27を通り、かつ注入パイプ内を通って排出され、該計量カップ内には定量の液体が残るから、該計量カップ内に残った定量の液体を計量カップを外して使用する。この場合も第１実施形態の場合と同様、計量カップを外さないまま放出できる。尚計量カップ内液体の少量注出および擦付材10の使用は第１実施形態の場合と同様に行う。
【図面の簡単な説明】
【００３４】
【図１】本発明計量カップを第１実施形態で示す断面図である。
【図２】図１計量カップの主要部材としての弁体付き台の平面図である。
【図３】図１計量カップを、第１実施形態としての本発明計量カップ装着容器に装着させて示す断面図である。
【図４】本発明計量カップを、第２実施形態で示す断面図である。
【図５】図４計量カップを、第２実施形態としての本発明計量カップ装着容器に装着させて示す断面図である。
【符号の説明】
【００３５】
１  計量カップ                      ４  弁孔
９  保護筒                          10  擦付材
11  弁体付き台                      12  弁体
15  吐出弁                          16  棒状物
26  注入パイプ                      31  容器
32  ステム                          33  受皿
37  装着筒                          38  ガイド筒
41  係合子                          42  レバー
53  受筒                            57  吐出パイプ
【図１】
0004761358.tif 000002
【図２】
0004761358.tif 000003
【図３】
0004761358.tif 000004
【図４】
0004761358.tif 000005
【図５】
0004761358.tif 000006